(57)【要約】【課題】  マウント径が同一で、撮影画面サイズが大小に異なる第一、第二の一眼レフシステム用のマウントシステムにおいて、マウント部の機械的強度を損なうことなく、撮影画面が大きいカメラボディには、撮影画面が小さいシステム用の交換レンズ鏡筒を装着できない一眼レフカメラのマウントシステムを得る。【解決手段】  小撮影画面用のボディマウント２０Ｓの内方突出フランジ２３Ｓの少なくとも一部の径方向長を、大撮影画面用のレンズマウント１０Ｌの内方突出フランジ爪２３Ｌの径方向長よりも短く設定し、この内方突出フランジ２３Ｓと２３Ｌに対応するレンズマウントの正面弧状支持溝１３Ｓと２３Ｌの断面形状を該内方突出フランジ２３Ｓと２３Ｌに対応させ、大撮影画面用ボディマウントの内方突出フランジ２３Ｌが、小撮影画面用レンズマウントの正面弧状支持溝１３Ｓ内に進入不能とした一眼レフカメラのマウントシステム。【選択図】  図７
2005227597.tif 000002
【特許請求の範囲】
【請求項１】
マウント径が同一で、撮影画面サイズが大小に異なる第一、第二の一眼レフシステム用のマウントシステムであって、
それぞれの一眼レフシステムのレンズマウントは、レンズマウント面と、該レンズマウント面より後方かつ内径側において周方向に離隔した３個の正面弧状支持溝を形成する３個の外方突出フランジ爪とを有し、
ボディマウントは、このレンズマウントのレンズマウント面と接触するボディマウント面と、上記レンズマウントの３個の外方突出フランジ爪の進入を許す３個の周方向に離隔した３個の切欠部と、この３個の切欠部の間に位置する３個の内方突出フランジとを有していて、レンズマウント面とボディマウント面を当接させた状態で両マウントを相対回動させたとき、該内方突出フランジの背面に外方突出フランジ爪が係合する一眼レフカメラのマウントシステムにおいて、
小撮影画面用のボディマウントの内方突出フランジの少なくとも一部の径方向長を、大撮影画面用のレンズマウントの内方突出フランジ爪の径方向長よりも短く設定し、この内方突出フランジに対応するレンズマウントの正面弧状支持溝の断面形状を該内方突出フランジに対応させ、大撮影画面用ボディマウントの内方突出フランジが、小撮影画面用レンズマウントの正面弧状支持溝内に進入不能としたことを特徴とする一眼レフカメラのマウントシステム。
【請求項２】
請求項１記載の一眼レフカメラのマウントシステムにおいて、大撮影画面用のボディマウントの内方突出フランジと、この内方突出フランジに対応するレンズマウントの正面弧状支持溝は、角形断面を有し、小撮影画面用のボディマウントの内方突出フランジと、この内方突出フランジに対応するレンズマウントの正面弧状支持溝は、上記角形断面より断面積の小さい階段状断面を有している一眼レフカメラのマウントシステム。
【発明の詳細な説明】
【技術分野】
【０００１】
本発明は、一眼レフカメラ用のマウントシステムに関する。
【背景技術】
【０００２】
一眼レフカメラシステムは通常、レンズマウントが、レンズマウント面と、このレンズマウント面より後方かつ内径側において周方向に離隔した３個の正面弧状支持溝を形成する３個の外方突出フランジ爪とを有し、ボディマウントが、ボディマウント面と、レンズマウントの３個の外方突出フランジ爪の進入を許す３個の周方向に離隔した３個の切欠部と、この３個の切欠部の間に位置する３個の内方突出フランジとを有していて、レンズマウント面とボディマウント面を当接させた状態で両マウントを相対回動させたとき、該内方突出フランジの背面に外方突出フランジ爪が係合する構成が採られている。
【０００３】
この一眼レフカメラシステムでは、カメラボディの撮影画面サイズが異なるのに、マウント径が同一である複数のシステムが併存することがある。具体的には例えば、３５ｍｍサイズとＡＰＳサイズがある。この場合のポリシーとして、撮影画面が大きいカメラボディに、撮影画面が小さいシステム用の交換レンズ鏡筒を装着可能にするという考え方と、装着不能にするという考え方がある。前者は、撮影画面の中心部だけに円形の像が形成され、周辺部はけられる（露光されない）のに対し、後者ではこのような事態は生じない。
【０００４】
本出願人は、このような背景から、後者のポリシーを採ったときの具体的なマウントシステムを提案した（特許文献１）。このマウントシステムは、大撮影画面用と小撮影画面用とで、ボディマウントの内方突出フランジの厚さ（従って、この内方突出フランジが進入するレンズマウントの正面弧状支持溝の溝幅）を大小に異ならせることで、大撮影画面のカメラボディに対する小撮影画面の交換レンズ鏡筒の装着を不能にしていた。
【０００５】
ところが、ボディマウントの内方突出フランジの厚さを小さくすると、特に最近のマウントは一部または全部を樹脂化しているため、機械的強度に問題が生じる。また、金属を樹脂材料で覆ったものは、樹脂材料が露出してショートを起こす可能性があった。
【特許文献１】特開平８-４３９０９号公報
【発明の開示】
【発明が解決しようとする課題】
【０００６】
本発明は、以上の問題意識に基づき、マウント部の機械的強度を損なうことなく、撮影画面が大きいカメラボディには、撮影画面が小さいシステム用の交換レンズ鏡筒を装着できない一眼レフカメラのマウントシステムを得ることを目的とする。
【課題を解決するための手段】
【０００７】
本発明は、マウント径が同一で、撮影画面サイズが大小に異なる第一、第二の一眼レフカメラシステム用のマウントシステムであって、それぞれの一眼レフカメラシステムのレンズマウントは、レンズマウント面と、該レンズマウント面より後方かつ内径側において周方向に離隔した３個の正面弧状支持溝を形成する３個の外方突出フランジ爪とを有し、ボディマウントは、このレンズマウントのマウント面と接触するボディマウント面と、レンズマウントの３個の外方突出フランジ爪の進入を許す３個の周方向に離隔した３個の切欠部と、この３個の切欠部の間に位置する３個の内方突出フランジとを有していて、レンズマウント面とボディマウント面を当接させた状態で両マウントを相対回動させたとき、該内方突出フランジの背面に外方突出フランジ爪が係合する一眼レフカメラのマウントシステムにおいて、小撮影画面用のボディマウントの内方突出フランジの少なくとも一部の径方向長を、大撮影画面用のレンズマウントの内方突出フランジ爪の径方向長よりも短く設定し、これらの内方突出フランジに対応する大小の撮影画面用レンズマウントの正面弧状支持溝の断面形状をこれらの内方突出フランジに対応させ、大撮影画面用ボディマウントの内方突出フランジが、小撮影画面用レンズマウントの正面弧状支持溝内には進入できないようにしたことを特徴としている。
【０００８】
具体的には、例えば大撮影画面用のボディマウントの内方突出フランジと、この内方突出フランジに対応するレンズマウントの正面弧状支持溝は、従来形状を崩すことなく角形断面とし、小撮影画面用のボディマウントの内方突出フランジと、この内方突出フランジに対応するレンズマウントの正面弧状支持溝は、この角形断面より断面積の小さい階段状断面とすることができる。
【発明の効果】
【０００９】
本発明によれば、マウント部の機械的強度を損なうことなく、撮影画面が大きいカメラボディには、撮影画面が小さいシステム用の交換レンズ鏡筒を装着できない一眼レフカメラのマウントシステムを得ることができる。
【発明を実施するための最良の形態】
【００１０】
図１は一眼レフカメラのボディマウント２０の正面形状を示し、図２はレンズマウント１０の正面形状を示している。レンズマウント１０は、周知のように、光軸と直交する環状のレンズマウント面１１を有し、このレンズマウント面１１の後方（結像面に近い方向）かつ内径側に位置させて周方向に離間させた３個の外方突出フランジ爪１２が形成されている。この３個の外方突出フランジ爪１２によって、周方向に離隔した３個の正面弧状支持溝１３が形成される（図４ないし図７）。レンズマウント１０は交換レンズ鏡筒の後端部に固定され、ボディマウント２０はカメラボディの前端面に固定される。
【００１１】
ボディマウント２０は、レンズマウント１０のマウント面１１と接触する、光軸と直交する環状のボディマウント面２１を有し、このボディマウント面２１の内径側かつ後方に位置させて、レンズマウント１０の３個の外方突出フランジ爪１２の進入を許す３個の周方向に離隔した切欠部２２が形成されており、この３個の切欠部２２の間に、３個の内方突出フランジ２３が位置している。
【００１２】
このレンズマウント１０とボディマウント２０は、レンズマウント１０の外方突出フランジ爪１２をボディマウント２０の切欠部２２内に挿入し、レンズマウント面１１とボディマウント面２１を当接させた状態で、レンズマウント１０とボディマウント２０を相対回動させると、内方突出フランジ２３の背面に外方突出フランジ爪１２が入り込んで係合する（図３ないし図５）。レンズマウント１０とボディマウント２０には、両者を相対回動させるとき、互いに係合して同心を保証する同心保証円筒面１５と２５が形成されている。また、ボディマウント２０には、内方突出フランジ２３の背面に外方突出フランジ爪１２が入り込んだとき、外方突出フランジ爪１２を後方に押圧付勢してレンズマウント面１１とボディマウント面２１を密着させる板ばねが備えられているが、本発明の要旨に関係がなくかつ周知であるので、図示を省略する。
【００１３】
本発明が対象とする撮影画面サイズが大小に異なる二つの一眼レフシステムは、以上のレンズマウント１０とボディマウント２０の基本構成において、正面弧状支持溝１３と内方突出フランジ２３の形状（径方向長さ）を異ならせた点が異なり、これ以外の点は同一である（マウント径が同一である）。以下の説明では、大撮影画面（例えば３５ｍｍサイズ）用のレンズマウント１０とボディマウント２０に（Ｌ）を付し、小撮影画面（例えばＰＨＳサイズ）用のレンズマウント１０とボディマウント２０に（Ｓ）を付す。また、違いを明瞭にするため、図３ないし図７において、大画面用レンズマウント１０（Ｌ）と大画面用ボディマウント２０（Ｌ）には、右肩上がりの太いハッチングを付し、小画面用レンズマウント１０（Ｓ）と小画面用ボディマウント２０（Ｓ）には、左肩上がりの細いハッチングを付した。
【００１４】
図３に示すように、大画面用レンズマウント１０（Ｌ）の正面弧状支持溝１３（Ｌ）と、この正面弧状支持溝１３（Ｌ）に係合するボディマウント２０の内方突出フランジ２３（Ｌ）はともに対応する角形断面をなしている。内方突出フランジ２３（Ｌ）の径方向長をｄ１（図３）とすると、正面弧状支持溝１３（Ｌ）の深さはこの長さｄ１に対応している（ｄ１より若干大きい）。この形状は従来の一般的な一眼レフカメラのマウントシステムの形状である。
【００１５】
これに対し、小画面用ボディマウント２０（Ｓ）の内方突出フランジ２３（Ｓ）は、図５に示すように、その先端部（内端部）前側に周方向に一様な切欠段部２４を有しており、階段状断面をなしている。この切欠段部２４部分の径方向長は内方突出フランジ２３（Ｌ）の径方向長ｄ１より短いｄ２である。内方突出フランジ２３（Ｓ）の切欠段部２４以外の他の部分の径方向長は、内方突出フランジ２３（Ｌ）と同じｄ１である。切欠段部２４は、図１にも表れている（図１のボディマウント２０は、内方突出フランジ２３の形状を厳密に見れば、小画面用ボディマウント２０（Ｓ）であり、大画面用ボディマウント２０（Ｌ）では切欠段部２４に対応する弧状線が表れない）。
【００１６】
そして、この内方突出フランジ２３（Ｓ）に対応する小画面用レンズマウント１０（Ｓ）の正面弧状支持溝１３（Ｓ）は、内方突出フランジ２３（Ｌ）に対応する階段状断面を有している。別言すると、内方突出フランジ２３（Ｌ）（正面弧状支持溝１３（Ｌ））の断面積は、内方突出フランジ２３（Ｓ）（正面弧状支持溝１３（Ｓ））の断面積より大きく、内方突出フランジ２３（Ｓ）（正面弧状支持溝１３（Ｓ））は、内方突出フランジ２３（Ｌ）（正面弧状支持溝１３（Ｌ））内に含まれる形状である。ちなみに、図３、図５及び図６に付したＡ、Ｂ、Ｃ及びＦの寸法は、大画面用、小画面用のレンズマウント１０とボディマウント２０に共通の寸法であり、Ｄ及びＥの寸法は、小画面用レンズマウントとボディマウント固有の寸法である。
【００１７】
上記構成の本マウントシステムは従って、大画面用レンズマウント１０（Ｌ）と大画面用ボディマウント２０（Ｌ）の組み合わせ、及び小画面用レンズマウント１０（Ｓ）と小画面用ボディマウント２０（Ｓ）の組み合わせでは、図３、図５のように、それぞれ両者は正しく係合できる。また、小画面用ボディマウント２０（Ｓ）に対して大画面用レンズマウント１０（Ｌ）を組み合わせた場合には、正面弧状支持溝１３（Ｌ）の断面形状は、内方突出フランジ２３（Ｓ）の断面形状を含む大きさであるので、大画面用レンズマウント１０（Ｌ）を小画面用ボディマウント２０（Ｓ）に結合することができる（図４）。
【００１８】
これに対し、大画面用ボディマウント２０（Ｌ）に小画面用レンズマウント１０（Ｓ）を結合しようとすると、切欠部２２内に外方突出フランジ爪１２を進入させ、ボディマウント面２１とレンズマウント面１１を当接させることはできるが、その当接状態で大画面用ボディマウント２０（Ｌ）と小画面用レンズマウント１０（Ｓ）を相対回動させようとすると、内方突出フランジ２３（Ｌ）が正面弧状支持溝１３（Ｓ）の端部に当接してしまい、回動させることができない（図６、図７）。図６、図７は、内方突出フランジ２３（Ｌ）が存在しない部分の断面をとっており、図６は、レンズマウント面１１とボディマウント面２１との間にＦの隙間がある挿入途中状態、図７はレンズマウント面１１とボディマウント面２１が当接した状態を描いている。図７においては、外方突出フランジ爪１２の奥に内方突出フランジ２３（Ｌ）が見えており、外方突出フランジ爪１２は内方突出フランジ２３（Ｌ）の背面には位置していない。つまり、撮影画面が大きいカメラボディ２に対して、撮影画面が小さいシステム用の交換レンズ鏡筒を装着することができない。そして、内方突出フランジ２３（Ｓ）は、その一部の径方向長が内方突出フランジ２３（Ｌ）より短いだけであるので、マウント部の機械的強度を損なうことがない。
【００１９】
以上の実施形態では、内方突出フランジ２３（Ｓ）（正面弧状支持溝１３（Ｓ））の先端断面形状を階段状としたが、全体を長さｄ２（ｄ１より短い）としても、本発明は成立する。
【図面の簡単な説明】
【００２０】
【図１】本発明の対象とする一眼レフカメラのボディマウントの正面図である。
【図２】同一眼レフカメラのレンズマウントの正面図である。
【図３】図１のボディマウント（大画面サイズ用）と図２のレンズマウント（大画面サイズ用）が結合された状態における図１、図２のIII−III線に沿う断面図である。
【図４】図１のボディマウント（大画面サイズ用）と図２のレンズマウント（小画面サイズ用）が結合された状態における図１、図２のIII−III線に沿う断面図である。
【図５】図１のボディマウント（小画面サイズ用）と図２のレンズマウント（小画面サイズ用）が結合された状態における図１、図２のIII−III線に沿う断面図である。
【図６】図１のボディマウント（大画面サイズ用）と図２のレンズマウント（小画面サイズ用）が結合不能であることを示す、結合途中状態における図１のVI−VI線に沿う断面図である。
【図７】図１のボディマウント（大画面サイズ用）と図２のレンズマウント（小画面サイズ用）が結合不能であることを示す、レンズマウント側の外方突出フランジ爪をボディマウント側の切欠部内に挿入し、両マウントのマウント面を接触させた状態における図１のVI−VI線に沿う断面図である。
【符号の説明】
【００２１】
１０（Ｓ）  画面用レンズマウント
１０（Ｌ）  大画面用レンズマウント
１１  レンズマウント面
１２  外方突出フランジ爪
１３（Ｓ）  正面弧状支持溝
１３（Ｌ）  正面弧状支持溝
２０（Ｓ）  小画面用ボディマウント
２０（Ｌ）  大画面用ボディマウント
２１  ボディマウント面
２２  切欠部
２３（Ｓ）  内方突出フランジ
２３（Ｌ）  内方突出フランジ
２４  切欠段部
【図１】
2005227597.tif 000003
【図２】
2005227597.tif 000004
【図３】
2005227597.tif 000005
【図４】
2005227597.tif 000006
【図５】
2005227597.tif 000007
【図６】
2005227597.tif 000008
【図７】
2005227597.tif 000009